(57)【特許請求の範囲】
【請求項１】
ラジオビデオオンデマンドシステムにおいて、 ビデオファイル及び関連のオーディオファイルを少なくとも一人の使用者に提供するサーバと、
前記少なくとも一人の使用者が要求するデータのビデオファイル及びオーディオファイルの伝送を管理するサーバ管理者と、
前記要求されたデータの別個の無線伝送のためのビデオ信号及び関連のオーディオ信号をそれぞれ提供するように、ネットワークを通じて前記サーバから提供されるビデオファイル及びオーディオファイルを、低周波数帯域のビデオ信号及び関連のオーティオ信号にそれぞれ変換する交換機と、
前記交換機によって変換された低周波数帯域のビデオ信号及び関連のオーディオ信号のそれぞれの無線伝送を別個のチャンネルを通じて受信し、前記ビデオファイル及び関連のオーディオファイルを構成する前記要求されたデータのみを前記少なくとも一人の使用者に出力する移動端末機と
からなることを特徴とするラジオビデオオンデマンドシステム。
【請求項２】
前記交換機は、前記ビデオ信号及び関連のオーディオ信号をそれぞれ無線伝送するための基地局を含むことを特徴とする請求項１記載のラジオビデオオンデマンドシステム。
【請求項３】
前記基地局は、前記交換機の残部(remainder)から離隔している交換機の一部分であることを特徴とする請求項２記載のラジオビデオオンデマンドシステム。
【請求項４】
前記交換機は、非同期転送モード及び高速イーサネット（登録商標）交換部のうちの１つを含むことを特徴とする請求項１記載のラジオビデオオンデマンドシステム。
【請求項５】
前記サーバは、ビデオサーバ及びオーディオサーバを含むことを特徴とする請求項１記載のラジオビデオオンデマンドシステム。
【請求項６】
前記サーバ管理者は、公衆交換電話網及びそこへ遠隔アクセスするためのローカルエリアネットワークのうちの少なくとも１つと通信することを特徴とする請求項１記載のラジオビデオオンデマンドシステム。
【請求項７】
前記移動端末機は、
前記ビデオ信号及び関連のオーディオ信号のそれぞれを別個に受信する第１及び第２チューナと、
前記第１及び第２チューナを通じて受信された複数のビデオ信号及びそれぞれ関連したオーディオ信号から使用者が選択したデータのビデオ信号及び関連のオーディオ信号を検出する信号処理部と、
前記信号処理部によって検出されたビデオ信号及びオーディオ信号をそれぞれデコーディングする第１及び第２デコーダと、
使用者が選択したデータのデコーディングされたビデオ信号を出力するビデオ表示部と、
使用者が選択したデータのデコーディングされた関連のオーディオ信号を出力するオーディオ出力部と
から構成されることを特徴とする請求項１記載のラジオビデオオンデマンドシステム。
【請求項８】
前記交換機から出力されたビデオ及びオーディオ信号は、識別フィールド、データフィールド、及びナルデータフィールドをそれぞれ構成することを特徴とする請求項１記載のラジオビデオオンデマンドシステム。
【請求項９】
前記交換機から出力されたビデオ及びオーディオ信号は、識別フィールド、データフィールド、及びナルデータフィールドをそれぞれ構成することを特徴とする請求項７記載のラジオビデオオンデマンドシステム。
【請求項１０】
前記移動端末機の信号処理部は、前記第１及び第２デコーダでデコーディングするための使用者が選択したデータのビデオ信号及び関連のオーディオ信号を検出するために、前記第１及び第２チューナから前記受信されたビデオ及びオーディオ信号の識別フィールドを読み出すことを特徴とする請求項９記載のラジオビデオオンデマンドシステム。
【請求項１１】
前記使用者が要求したデータがマルチメディアファイルであることを特徴とする請求項１記載のラジオビデオオンデマンドシステム。
【請求項１２】
前記使用者が要求したデータがマルチメディアファイルであることを特徴とする請求項７記載のラジオビデオオンデマンドシステム。
【請求項１３】
前記使用者が要求したデータがマルチメディアファイルであることを特徴とする請求項１記載のラジオビデオオンデマンドシステム。
【請求項１４】
前記信号処理部は、ディジタル信号処理部を構成することを特徴とする請求項７記載のラジオビデオオンデマンドシステム。
【請求項１５】
前記移動端末機は、無線通信によってビデオオンデマンドシステムからデータを要求する伝送部を含むことを特徴とする請求項１記載のラジオビデオオンデマンドシステム。
【請求項１６】
前記移動端末機は、無線通信によってビデオオンデマンドシステムからデータを要求する伝送部を含むことを特徴とする請求項７記載のラジオビデオオンデマンドシステム。
【請求項１７】
前記伝送部は、前記交換機と無線通信のための手段を含むことを特徴とする請求項１５記載のラジオビデオオンデマンドシステム。
【請求項１８】
前記伝送部は、前記交換機と無線通信のための手段を含むことを特徴とする請求項１６記載のラジオビデオオンデマンドシステム。
【請求項１９】
前記交換機は、前記移動端末機から無線通信によって伝送されたデータ要求を受信する手段を有することを特徴とする請求項７記載のラジオビデオオンデマンドシステム。
【請求項２０】
前記移動端末機が前記交換機へ伝送したデータ要求の周波数は、前記交換機が前記移動端末機へ伝送したビデオ信号の周波数及びオーディオ信号の周波数とは異なることを特徴とする請求項１９記載のラジオビデオオンデマンドシステム。
【発明の詳細な説明】
【０００１】
【発明の属する技術分野】
本発明は、ラジオビデオオンデマンドシステム(Video-On-Demand；以下、ＶＯＤと略称する。)に関し、特に、使用者が望む時間に無線通信を通じて多様なマルチメディアファイルが提供できるラジオＶＯＤシステムに関する。
【０００２】
【従来の技術】
従来技術のラジオＶＯＤシステムは、情報提供者であるサーバ、ネットワーク、及びセットトップボックス(set-top box)のような屋内の受信器からなる。前記サーバは、ビデオ情報及びバンドル(bundle)内のビデオ情報を制御する関連の応用ソフトウェアを貯蔵して最終使用者の要求に応じて最終使用者の機器(すなわち、セットトップボックス)へ選択的に伝送する。
【０００３】
ＶＯＤシステムのネットワークに対して、数Ｍｂｐｓの速度でビデオ情報を伝送できる広帯域ネットワークが使用される。最終使用者の屋内に設けられる屋内受信器であるセットトップボックスは、広帯域伝送路の終着駅のような役割を遂行する。前記広帯域伝送路は、物理伝送媒体であり、前記サーバから伝送されたディジタル情報のデコードを遂行する。前記デコーディングされたディジタル情報は、ＴＶモニタ上に表示される。また、前記セットトップボックスは、使用者の要求をサーバに伝送する。
【０００４】
いまのところ、無線通信を利用して基地局と移動端末機とのラジオＶＯＤシステムを構築するための方法についての研究が活発に進行している。従来のＶＯＤシステムとは異なり、ＶＯＤシステムは、物理伝送路に依存しない。
例えば、日本のＮＴＴ会社によって紹介されたラジオＶＯＤシステムは、５０〜１００ｍの短距離の場合、基地局及び移動端末機が１０Ｍｂｐｓの速度で２５ＧＨｚの周波数を利用してデータを無線に交換できるように設計されている。ＮＴＴ会社によって紹介されたラジオＶＯＤシステムは、最大１６名の使用者が同時にアクセスでき、前記基地局を通じて速度５０Ｍｂｐｓまで情報を伝送できる。しかし、このようなシステムにおいて、５０〜１００ｍの短距離の場合、実際の使用には限界がある。
【０００５】
すなわち、高周波数帯域を使用する無線ＶＯＤシステムは、基地局と移動端末機との許容距離によって非常に制限される。許容距離を増加させるためには、システムの構築費用が著しく増加する。また、システムに同時にアクセスできる使用者の数が１６名で制限されるので、そのような制限された数を超過する多数の使用者の要求を充足させることができなかった。さらに、高周波数帯域が使用されるので、これに従って移動端末機と交換機との運用費用も上昇するという短所があった。
【０００６】
【発明が解決しようとする課題】
従って、本発明の目的は、低周波数帯域でもデータの安定した伝送及び復元が可能な低価格のラジオＶＯＤシステムを提供することにある。
前記のような目的を達成するために、本発明は、ラジオＶＯＤシステムを提供する。ラジオＶＯＤシステムにおいて、サーバは、ビデオファイル及びオーディオファイルを提供し、サーバ管理者は、使用者の要求に応じてビデオファイル及びオーディオファイルを伝送するように管理する。交換機は、ネットワークを通じて前記サーバから提供されるビデオファイル及びオーディオファイルを該当ビデオ信号及びオーディオ信号に変換する。移動端末機は、別個のチャンネルを通じて前記交換機から前記ビデオ及びオーディオ信号を受信し、前記受信されたビデオ及びオーディオ信号から使用者が要求したデータのみを読み出す。
【０００７】
望ましくは、前記移動端末機は、前記ビデオ信号及びオーディオ信号のそれぞれを別個に受信する第１及び第２チューナと、前記第１及び第２チューナを通じて受信された複数のビデオ信号及びオーディオ信号から使用者が選択したビデオ信号及びオーディオ信号を検出する信号処理部と、前記信号処理部によって検出されたビデオ信号及びオーディオ信号をそれぞれデコーディングする第１及び第２デコーダと、前記デコーディングされたビデオ信号を出力するビデオ表示部と、前記デコーディングされたオーディオ信号を出力するオーディオ出力部とからなる。
【０００８】
実施形態において、ラジオＶＯＤシステムは、ビデオファイル及び関連のオーディオファイルを少なくとも一人の使用者に提供するサーバと、前記少なくとも一人の使用者が要求するデータのビデオファイル及びオーディオファイルの伝送を管理するサーバ管理者と、前記要求されたデータの別個の無線伝送のためのビデオ信号及び関連のオーディオ信号をそれぞれ提供するように、ネットワークを通じて前記サーバから提供されるビデオファイル及びオーディオファイルを変換する交換機と、前記交換機によって変換されたビデオ信号及び関連のオーディオ信号のそれぞれの無線伝送を別個のチャンネルを通じて受信し、前記ビデオファイル及び関連のオーディオファイルを構成する前記要求されたデータのみを前記少なくとも一人の使用者に出力する移動端末機とからなる。
【０００９】
本発明の第１見地によると、交換機は、ビデオ信号及び関連のオーディオ信号の別個の無線伝送のための基地局を含む。
本発明の他の見地によると、基地局は、交換機の残部から離隔している交換機の一部分である。
交換機は、非同期転送モード(Asynchronous Transfer Mode；ＡＴＭ)及び高速イーサネット（登録商標）交換部のうちの１つを含むことができる。
【００１０】
サーバは、別個のビデオサーバ及びオーディオサーバを含むことができる。
また、サーバ管理者は、公衆交換電話網(public switched telephone network；ＰＳＴＮ)及びそこへ遠隔アクセスのためのローカルエリアネットワークのうちの少なくとも１つと通信できる。
【００１１】
本発明の第２見地によると、移動端末機は、前記ビデオ信号及び関連のオーディオ信号のそれぞれを別個に受信する第１及び第２チューナと、前記第１及び第２チューナを通じて受信された複数のビデオ信号及びそれぞれ関連したオーディオ信号から使用者が選択したデータのビデオ信号及び関連のオーディオ信号を検出する信号処理部と、前記信号処理部によって検出されたビデオ信号及びオーディオ信号をそれぞれデコーディングする第１及び第２デコーダと、使用者が選択したデータのデコーディングされたビデオ信号を出力するビデオ表示部と、使用者が選択したデータのデコーディングされた関連のオーディオ信号を出力するオーディオ出力部とから構成される。
【００１２】
また、前記交換機から出力されたビデオ及びオーディオ信号は、識別(identification；ＩＤ)フィールド、データフィールド(data field)、及びナルデータフィールド(null data field)をそれぞれ構成する。
本発明の他の見地によると、前記移動端末機の信号処理部は、前記第１及び第２デコーダでデコーディングするための使用者が選択したデータのビデオ信号及び関連のオーディオ信号を検出するために、前記第１及び第２チューナから前記受信されたビデオ及びオーディオ信号の識別フィールドを読み出す。
【００１３】
前記信号処理部は、ディジタル信号処理部を含むことができ、使用者が要求したデータはマルチメディアファイルである。
また、移動端末機は、無線通信を通じてＶＯＤシステムからデータを要求する伝送部を含むことができる。前記伝送部は、交換部との無線通信のための手段を含む。
本発明の他の見地によると、交換機は、移動端末機から無縁通信によって伝送された使用者のデータ要求を受信する手段を含む。前記移動端末機が前記交換機へ伝送したデータ要求の周波数は、前記交換機が前記移動端末機へ伝送したビデオ信号の周波数及びオーディオ信号の周波数とは異なることができる。
【００１４】
【発明の実施の形態】
以下、本発明に従う好適な実施形態を添付図面を参照しつつ詳細に説明する。下記説明において、本発明の要旨のみを明瞭にするために公知の機能及び構成に対する詳細な説明は省略する。
図１は、本発明の実施形態によるラジオビデオオンデマンドシステムを示す。
図１を参照すると、第１放送用コンテンツサーバ(contents server)１０は、ビデオファイル(すなわち、ビデオサーバ)を貯蔵して管理し、第２放送用コンテンツサーバサーバ２０は、オーディオファイル(すなわち、オーディオサーバ)を貯蔵して管理する。公衆交換電話網及び／またはそこへ遠隔にアクセスするためのローカルエリアネットワーク４０に連結されることができるパーソナルコンピュータ(ＰＣ)３０は、サーバ管理者である。
【００１５】
サーバ管理者は、使用者が所望の(または選択された)リスト及び各種の予約状態を検査して該当データリストを前記第１及び第２コンテンツサーバ１０及び２０に伝送する。交換機６０は、ネットワーク５０を通じて前記第１及び第２コンテンツサーバ１０及び２０から提供されたビデオ及びオーディオファイルを該当ビデオ及びオーディオ信号に変換する。前記交換機６０は、ＡＴＭ交換部または高速イーサネット（登録商標）交換部を含むことができる。前記交換機６０から出力されたビデオ及びオーディオ信号は、前記基地局７０を通じて移動端末機８０へ伝送され、元来のビデオ及びオーディオ信号に復元される。
【００１６】
図２は、移動端末機８０の詳細なブロック図である。図２を参照して、ラジオＶＯＤシステムの動作を詳細に説明する。
ビデオ信号及びオーディオ信号が１つの信号として伝送される場合、伝送されたデータの量は相対的に増加する。従って、本発明の実施形態によるラジオＶＯＤシステムにおいて、伝送側は、ビデオサーバからのビデオデータ及びオーディオサーバからのオーディオデータを別個に伝送する。そして、受信側(すなわち、移動端末機)は、別個のチューナを利用してビデオ及びオーディオデータを受信し、前記受信されたビデオ及びオーディオデータを別個にデコーディングしてモニタ及びスピーカを通じてデコーディングされたビデオデータ及びオーディオデータを出力する。
【００１７】
例えば、図２に示した例を通じて、本発明によるラジオＶＯＤシステムの実施形態において、使用者が端末機８０を通じてシステムからビデオ及びオーディオファイルを要求する場合、前記第１及び第２コンテンツサーバ１０及び２０(サーバ管理者３０の制御の下で)は、ビデオファイルＳｖ及びオーディオファイルＳａのそれぞれを読み出す。前記第１及び第２コンテンツサーバ１０及び２０が読み出した前記ビデオファイルＳｖ及びオーディオファイルＳａは、ネットワーク５０を通じて交換機６０に伝送される。前記交換機６０は、ビデオファイルＳｖ及びオーディオファイルＳａを該当基底帯域信号にエンコーディングして搬送波形態で出力する。
【００１８】
前記搬送波形態で出力されたビデオファイルＳｖ及びオーディオファイルＳａは、前記基地局７０を通じて移動端末機８０で受信される。特に、移動端末機８０は、第１チューナ８２及び第２チューナ８４を通じてビデオファイルＳｖ及びオーディオファイルＳａのそれぞれを受信する。前記搬送波形態のビデオファイルは、ＮＴＳＣタイプの放送信号として伝送される。前記第１チューナ８２及び第２チューナ８４を通じて受信されたビデオ及びオーディオ信号は、ディジタル信号処理部(ＤＳＰ)８６でディジタル処理される。
【００１９】
図３は、ビデオファイルＳｖ及びオーディオファイルＳａのデータフォーマットの例を示す。すなわち、ビデオファイルＳｖ及びオーディオファイルＳａのそれぞれは、ＩＤフィールド、データフィールド、及びナルデータフィールドで構成される。前記ＩＤフィールドは、ビデオファイル及びオーディオファイルを要求した使用者を識別するための情報に満ちる。
【００２０】
本発明の実施形態によると、前記ＤＳＰ８６は、前記受信されたビデオファイルＳｖ及びオーディオファイルＳａのＩＤフィールドを検索して使用者が選択したデータのみを出力する。ビデオデコーダ８８及びオーディオデコーダ９０は、ＤＳＰ８６から出力されたビデオデータ及びオーディオデータをデコーディングする。ビデオ表示部(またはモニタ)９２及びオーディオ出力部(またはスピーカ)９４は、前記ビデオデコーダ８８及びオーディオデコーダ９０からそれぞれ提供された前記デコーディングされたビデオ及びオーディオデータを出力する。
【００２１】
前述の如く、本発明の詳細な説明では具体的な実施形態を参照して詳細に説明してきたが、本発明の範囲は前記実施形態によって限られることはなく、本発明の範囲内で様々な変形が可能であるということは、当該技術分野における通常の知識を持つ者には明らかである。
【００２２】
【発明の効果】
前述したように、移動端末機８０の使用者は、モニタ及びスピーカを通じて、使用者が無線で要求したビデオ及びオーディオファイルを視聴できリスト化することもできる。
また、移動端末機８０での使用者のデータ要求は、基地局７０を通じて交換機６０に無線通信によって伝送することができる。従って、ＶＯＤシステムと使用者との間の正確の相互無線通信が可能である。
【００２３】
さらに、移動端末機は、無線通信によってデータ要求を伝送する伝送器を含む。前記データを要求する周波数は、基地局７０を通じて移動端末機８０に伝送されたビデオ信号及びオーディオ信号の周波数とは異なる周波数であることが望ましい。
交換機は、移動端末機から無線伝送によるデータ要求を受信するための手段を含むことができる。これは、移動端末機によって伝送された無線信号を、例えば、使用者が要求したデータの識別子を引き出すようにデコーディングする手段を含む。このような識別子は、特定のファイルまたは複数のファイルを識別してＶＯＤシステムに貯蔵する識別部になることができる。
【図面の簡単な説明】
【図１】  本発明の実施形態によるラジオＶＯＤシステムを示す図である。
【図２】  図１の移動端末機を示す詳細図である。
【図３】  本発明の実施形態によるデータフォーマットを示す図である。
【符号の説明】
１０  第１コンテンツサーバ
２０  第２コンテンツサーバ
３０  サーバ管理者
４０  ＰＳＴＮ ＆ ＬＡＮ
５０  ネットワーク
６０  交換機
７０  基地局
８０  移動端末機
８２  第１チューナ
８４  第２チューナ
８６  ディジタル信号処理部
８８  ビデオデコーダ
９０  オーディオデコーダ
９２  ビデオ表示部
９４  オーディオ出力部
【図１】
0003657224.tif 000002
【図２】
0003657224.tif 000003
【図３】
0003657224.tif 000004